(57)【要約】【課題】  冷陰極管を光源とするサイドライト型のバックライトを有する液晶表示装置において、液晶パネルの端子部の下面側にＣＦＬを配置することに伴う発熱に起因する表示ムラを解消する。【解決手段】  液晶パネル１０と、その背面側に配置されるサイドライト型のバックライトとを含み、その光源が冷陰極管３０であり、同冷陰極管が少なくとも一方の電極部を含めて液晶パネルの端子部１１１の下面に沿って配置されている液晶表示装置において、端子部１１１の端部１１１ａ，１１１ｂを冷陰極管３０の電極部３１，３２を覆うことがないように所定形状に切り欠く。【選択図】  図１
2005077580.tif 000002
【特許請求の範囲】
【請求項１】
端子部を有する液晶パネルと、同液晶パネルの背面側に配置されるサイドライト型のバックライトとを含み、上記バックライトの光源が冷陰極管であり、同冷陰極管が少なくとも一方の電極部を含めて上記端子部の下面に沿って配置されている液晶表示装置において、
上記端子部の端部が上記冷陰極管の電極部を覆うことがないように所定形状に切り欠かれていることを特徴とする液晶表示装置。
【発明の詳細な説明】
【技術分野】
【０００１】
本発明は、冷陰極管を光源とするサイドライト型のバックライトを備えた液晶表示装置に関し、さらに詳しく言えば、その冷陰極管の電極部からの発熱による液晶パネルの表示不良を防止し得るようにした液晶表示装置に関するものである。
【背景技術】
【０００２】
透過型もしくは半透過型の液晶パネルには、その背面側にバックライトが設けられる。バックライトには大別して直下型とサイドライト型とがあるが、図２および図３に冷陰極管（ＣＦＬ）を光源としたサイドライト型のバックライトを有する従来の液晶表示装置の構成を模式的に示す。図２は平面図、図３はその断面図である。
【０００３】
液晶パネル１０は、図示しない周辺シール材を介して圧着された一対の透明電極基板１１，１２を備え、この例では透明電極基板１１，１２の各々に端子部１１１，１２１が設けられている。ＣＯＧ型の場合、端子部１１１，１２１に液晶駆動用のベアＩＣチップが実装される。
【０００４】
液晶パネル１０の背面（反観察面）側には、ライトガイド（導光板）２０と、光源としてのＣＦＬ３０とが配置されている。この例で用いられているＣＦＬ３０は直管型で、ライトガイド２０の光入射面２１に沿って配置されている。なお図示しないが、ライトガイド２０の上面（光出射面）２２側には、光拡散フィルムや輝度上昇フィルムなどの光学フィルムが積層され、また、ライトガイド２０の裏面２３側には、光反射フィルムが配置される。
【０００５】
ところで、特に携帯機器用途の液晶表示装置には、より一層の小型化、薄型化が求められており、そのためＣＦＬ３０については、図２および図３に示すように、その電極部３１，３２を含めて端子部（この例では一方の端子部１１１）の下面に納まるように配置するようにしている。
【０００６】
しかしながら、ＣＦＬ３０は熱を発生する。特に電極部３１，３２からの発熱温度が高く、連続点灯した場合には９０℃程度になることがある。そのうえ、透明電極基板に用いられるガラス材は熱伝導率が大きいため、ＣＦＬ３０の発熱によって表示ムラ（表示不良）が発生するという問題があった。特に、端子部に液晶駆動用のベアＩＣチップを実装するＣＯＧ型の場合に表示ムラが発生しやすい。
【発明の開示】
【発明が解決しようとする課題】
【０００７】
本発明は、このような問題を解決するためになされたもので、その目的は、光源としてＣＦＬを用いたサイドライト型のバックライトを有する液晶表示装置において、液晶パネルの端子部の下面側にＣＦＬを配置することに伴う発熱に起因する表示ムラを解消することにある。
【課題を解決するための手段】
【０００８】
上記目的を達成するため、本発明は、端子部を有する液晶パネルと、同液晶パネルの背面側に配置されるサイドライト型のバックライトとを含み、上記バックライトの光源が冷陰極管であり、同冷陰極管が少なくとも一方の電極部を含めて上記端子部の下面に沿って配置されている液晶表示装置において、上記端子部の端部が上記冷陰極管の電極部を覆うことがないように所定形状に切り欠かれていることを特徴としている。
【０００９】
本発明において、上記端子部の端部を切り欠く形状に特に制限はないが、作業上の観点から直線的な斜め線による切欠きやＬ字状の切欠きが好ましい。
【発明の効果】
【００１０】
本発明によれば、冷陰極管の電極部上には液晶パネルの端子部が存在しないため、冷陰極管からの発熱が端子部に伝わりにくくなり、さらに冷陰極管の電極部周辺の空気の流通がよくなるため、これによって液晶パネルが異常高温となることがなく表示ムラ（表示不良）が解消される。
【発明を実施するための最良の形態】
【００１１】
次に、本発明を図１に示されている実施例に基づいて説明する。なお、図１はこの実施例に係る液晶表示装置を模式的に示す平面図であるが、先に説明した図２および図３の従来例と同一と見なせる部分には、それと同じ参照符号が付されている。なお、バックライトの構成は上記従来例と同じであってよい。
【００１２】
この液晶表示装置においても、液晶パネル１０は透明電極基板１１，１２の各々に端子部１１１，１２１を備える２方向取り出し型で、その一方の端子部１１１の下面側に直管型のＣＦＬ３０が配置されている。
【００１３】
この例において、ＣＦＬ３０は両方の電極部３１，３２を含めて端子部１１１の下面側に配置される長さを有している。したがって、このままでは端子部１１１の両端が電極部３１，３２の発熱に晒されることになる。
【００１４】
そこで、この実施例では端子部１１１の両端１１１ａ，１１１ｂを斜めに切り欠いて電極部３１，３２からの熱を極力避けるようにしている。上記両端１１１ａ，１１１ｂを斜めに切り欠く場合、作業性の観点から直線的に切り欠くことが好ましい。なお、上記両端１１１ａ，１１１ｂをＬ字状に切り欠いてもよい。
【００１５】
また、透明電極基板１２側の端子部１２１についても、電極部３１からの熱的影響を極力受けないようにするため、電極部３１に近い方の一方の端部１２１ａを同様に切り欠くことが好ましい。
【００１６】
他の実施例として、例えばＣＦＬ３０の一方の電極部３２のみが端子部１１１の下面側に潜り込むように配置され、他方の電極部３１は端子部１１１からはみ出して配置されるような場合には、端子部１１１の一方の端部１１１ｂ側に切欠きを設ければよい。ＣＦＬ３０がＵ字管である場合にも、同様にその両電極部が配置される側の端部に切欠きを設ければよい。
【００１７】
また、ＣＦＬ３０が端子部１１１および端子部１２１の双方にかけて配置されるようなＬ字管である場合には、端子部１１１の一方の端部１１１ｂと端子部１２１の他方の端部１２１ｂに切欠きを設ければよい。
【００１８】
いずれにしても、上記したように端子部の端部をＣＦＬの電極部を避けるように切り欠くことにより、特にその電極部からの熱が液晶パネルに伝わりにくくなるとともに、電極部周辺の空気の流通がよくなるため、ＣＦＬの発熱に起因する表示ムラを解消することができる。なお、本発明は一方の透明電極基板の電極配線をトランスファ手段を介して他方の透明電極基板の端子部に導く１方向取り出し型の液晶表示装置にも適用できる。
【産業上の利用可能性】
【００１９】
本発明によれば、ＣＦＬ光源を液晶パネルの端子部の下面側に配置しても、その発熱に起因する表示ムラが発生しないため、ＣＦＬを光源とするサイドライト型のバックライトを有する液晶表示装置において、より一層の小型化，薄型化を実現できる。
【図面の簡単な説明】
【００２０】
【図１】本発明に係る液晶表示装置の一例を模式的に示す平面図。
【図２】従来例に係る液晶表示装置を模式的に示す平面図。
【図３】上記従来例に係る液晶表示装置の模式的な断面図。
【符号の説明】
【００２１】
１０  液晶パネル
１１，１２  透明基板
１１１，１２１  端子部
２０  ライトガイド
２１  光入射面
３０  ＣＦＬ（冷陰極管）
３１，３２  電極部
【図１】
2005077580.tif 000003
【図２】
2005077580.tif 000004
【図３】
2005077580.tif 000005